(57)【特許請求の範囲】
【請求項１】
着用者の腰部に巻回される帯状の腰用サポーターにおいて、
周方向に伸縮性を有し、前記着用者の背部に当接される背当部と、
前記背当部の両側に配設され、面ファスナーのループが表地面に配設される巻回部と、
伸縮性を有する略Ｖ字形状の帯状部分を含み、前記背当部の一の側辺に固定され、当該一の側辺及び前記背当部の中央間にＶ字頂点が配設される第１の押圧バンド部と、
前記第１の押圧バンド部より伸長率が低い帯状体からなり、一端が前記第１の押圧バンド部のＶ字頂点に固定され、他端に配設される面ファスナーのフックが前記背当部の他の側辺側の前記巻回部のループに係着される第１の引張バンド部と、
伸縮性を有する略Ｖ字形状の帯状部分を含み、前記背当部の他の側辺に固定され、当該他の側辺及び前記背当部の中央間にＶ字頂点が配設される第２の押圧バンド部と、
前記第２の押圧バンド部より伸長率が低い帯状体からなり、一端が前記第２の押圧バンド部のＶ字頂点に固定され、他端に配設される面ファスナーのフックが前記背当部の一の側辺側の前記巻回部のループに係着される第２の引張バンド部と、
を備えることを特徴とする腰用サポーター。
【請求項２】
請求項１に記載の腰用サポーターにおいて、
前記第１の押圧バンド部が、長手方向に伸縮性を有する略Ｖ字形状の帯状体からなり、前記背当部の一の側辺に二箇所で固定されており、
前記第２の押圧バンド部が、長手方向に伸縮性を有する略Ｖ字形状の帯状体からなり、前記背当部の他の側辺に二箇所で固定されており、
前記第１の引張バンド部が前記背当部の他の側辺と前記第２の押圧バンド部とで構成される輪に挿通されること、又は、前記第２の引張バンド部が前記背当部の一の側辺と前記第１の押圧バンド部とで構成される輪に挿通されることを特徴とする腰用サポーター。
【請求項３】
請求項１又は２に記載の腰用サポーターにおいて、
前記背当部及び巻回部の境界近傍に配設され、前記第１の引張バンド部及び第２の引張バンド部をそれぞれ挿通させる支持部を備えることを特徴とする腰用サポーター。
【請求項４】
前記請求項１乃至３のいずれかに記載の腰用サポーターにおいて、
前記背当部が、中央で二分する二つのポケットを備え、
左右対称の板状のパネルが、前記左右のポケットにそれぞれ挿入されることを特徴とする腰用サポーター。
【発明の詳細な説明】
【技術分野】
【０００１】  この発明は、着用者の腰部に巻回させる帯状の腰用サポーターに関する。
【背景技術】
【０００２】  従来のコルセットは、腰部に押圧された状態で腰椎を矯正する腰当て部と、腰当て部を使用者の腰部に当てた状態で、腰当て部を使用者の腰部に保持する第１の帯部および第２の帯部とを有する。腰当て部は、両端部を互いに係合可能に設けた第１の帯部および第２の帯部との間に設けられ、第１の帯部および第３の帯部とには、帯部を長手方向に折り重ねてなる折り重ね部を設け、第１の帯部および第２の帯部とには、折り重ね部の折り重ね長さを調整する折り重ね部調節手段をそれぞれ設けた（例えば、特許文献１参照）。
【先行技術文献】
【特許文献】
【０００３】
【特許文献１】実用新案登録第３１０５０１４号公報
【発明の概要】
【発明が解決しようとする課題】
【０００４】  従来のコルセットは、伸縮性を殆ど有さない布を帯形状に縫製して得られたものであり、帯部を長手方向に折り重ねてなる折り重ね部を設けているため、生地が厚くなり、使用者の着用感を損ねているという課題がある。【０００５】  この発明は、上述のような課題を解決するためになされたもので、着用者の腰部にフィットし、着用者の背部を十分に押圧して、着用感を向上させた腰用サポーターを提供することを目的とする。
【課題を解決するための手段】
【０００６】  この発明に係る腰用サポーターにおいては、周方向に伸縮性を有し、前記着用者の背部に当接される背当部と、前記背当部の両側に配設され、面ファスナーのループが表地面に配設される巻回部と、伸縮性を有する略Ｖ字形状の帯状部分を含み、前記背当部の一の側辺に固定され、当該一の側辺及び前記背当部の中央間にＶ字頂点が配設される第１の押圧バンド部と、前記第１の押圧バンド部より伸長率が低い帯状体からなり、一端が前記第１の押圧バンド部のＶ字頂点に固定され、他端に配設される面ファスナーのフックが前記背当部の他の側辺側の前記巻回部のループに係着される第１の引張バンド部と、伸縮性を有する略Ｖ字形状の帯状部分を含み、前記背当部の他の側辺に固定され、当該他の側辺及び前記背当部の中央間にＶ字頂点が配設される第２の押圧バンド部と、前記第２の押圧バンド部より伸長率が低い帯状体からなり、一端が前記第２の押圧バンド部のＶ字頂点に固定され、他端に配設される面ファスナーのフックが前記背当部の一の側辺側の前記巻回部のループに係着される第２の引張バンド部と、を備える。
【発明の効果】
【０００７】  この発明に係るサポーターにおいては、着用者の腰部にフィットし、着用者の背部を十分に押圧して、着用感を向上させることができる。
【図面の簡単な説明】
【０００８】
【図１】  （ａ）は第１の実施形態に係る腰用サポーターの表地面を示す正面図であり、（ｂ）は図１（ａ）に示す腰用サポーターの裏地面を示す背面図である。
【図２】  （ａ）は図１（ａ）に示す第１の引張バンド部の係着を解いた腰用サポーターの表地面を示す正面図であり、（ｂ）は図１（ａ）に示す第１の引張バンド部及び第２の引張バンド部の係着を解いた腰用サポーターの表地面を示す正面図である。
【図３】  （ａ）は図１（ｂ）に示す背当部の各ポケットに収納するパネルの正面図及び背面図であり、（ｂ）は図３（ａ）に示すパネルの左側面図であり、（ｃ）は二枚のパネルを並べて略蝶形にした状態を示す正面図及び背面図である。
【図４】  （ａ）は第１の引張バンド部及び第２の引張バンド部の位置関係を説明するための説明図であり、（ｂ）は第１の引張バンド部及び第２の引張バンド部の他の位置関係を説明するための説明図であり、（ｃ）は第１の実施形態に係る第１の引張バンド部及び第２の引張バンド部の他の例を説明するための説明図である。
【図５】  （ａ）は図１に示す腰用サポーターの着用方法を説明するための正面図であり、（ｂ）は図５（ａ）に示す腰用サポーターの着用方法の続きを説明するための正面図であり、（ｃ）は図５（ａ）に示す腰用サポーターの着用方法の続きを説明するための背面図であり、（ｄ）は図５（ａ）に示す腰用サポーターの着用方法の続きを説明するための右側面図である。
【発明を実施するための形態】
【０００９】（本発明の第１の実施形態）
本実施形態に係る腰用サポーター１００は、図１及び図２に示すように、腰用サポーター１００の周方向に伸縮性を有し、着用者の背部に当接される背当部１０と、背当部１０の両側に配設され、面ファスナーのループ２１が表地面に配設される巻回部２０と、後述する、第１の押圧バンド部３０と、第１の引張バンド部４０と、第２の押圧バンド部５０と、第２の引張バンド部６０と、を備える。
また、背当部１０は、図１（ｂ）に示すように、中央で二分する二つのポケット１１を備え、左右のポケット１１に左右対称の板状のパネル１（図３（ａ）及び図３（ｂ）参照）がそれぞれ挿入される。
【００１０】  なお、本実施形態に係るパネル１は、溶融点が１５０℃〜１６０℃のポリプロピレン（ＰＰ：ｐｏｌｙｐｒｏｐｙｌｅｎｅ）製の樹脂パネルである。
また、本実施形態に係るパネル１の平面形状は、図３（ａ）に示すように、二つの凸部１ａの間に凹部１ｂを有する曲線部分と直線部分１ｃとからなり、図３（ｃ）に示すように、左右一対のパネル１は、図１（ａ）に示す第１の押圧バンド部３０及び第２の押圧バンド部５０の平面形状に近似する略蝶形である。このように、左右一対のパネル１が略蝶形であることにより、矩形状のパネルと比較して、着用者の腰部の曲面に沿って湾曲し易く、着用者の腰部との接触面積が狭くなり、第１の押圧バンド部３０及び第２の押圧バンド部５０からパネル１を介して着用者の腰部に与える圧力を高めることができる。
【００１１】  なお、本実施形態に係る背当部１０及び巻回部２０は、ナイロン糸を用いた経編のメッシュにポリウレタン弾性繊維を交編し、腰用サポーター１００の周方向に伸縮性があり、腰用サポーター１００の幅方向の伸縮性を抑制したパワーネット生地２を基材とする。
また、本実施形態に係る背当部１０は、ラッセル経編機で編成し、パワーネット生地２よりも腰用サポーター１００の周方向及び幅方向の伸縮性が高いラッセルパワーネット生地２ａを裏地として、ラッセルパワーネット生地２ａより幅が広いパワーネット生地２とラッセルパワーネット生地２ａとを下端部を合わせて重ね合わせ、両側端部及び下端部を縫製すると共に中央部を幅方向に沿って縫製することで、各ポケット１１が形成される。
【００１２】  なお、各ポケット１１は、開放状態にあると、第１の引張バンド部４０及び第２の引張バンド部６０の調整（引っ張り）により、内部に挿入したパネル１が外部に飛び出る恐れがある。このため、本実施形態に係る背当部１０の裏地面側の上端部には、各ポケット１１の蓋１１ａとして、ポリエステル糸及びポリウレタン糸を用いて製織される幅３０ｍｍのパワーゴムがパワーネット生地２に縫製される。
【００１３】  また、本実施形態に係る巻回部２０は、ナイロン糸を用いて編み立てられるフレンチパイルが、腰用サポーター１００の両端部分におけるパワーネット生地２の表地面側に縫製され、面ファスナーのループ２１として機能する。
なお、以下の説明においては、巻回部２０におけるフレンチパイル（面ファスナーのループ２１）が存在する領域を係着領域２２と称し、巻回部２０におけるフレンチパイル（面ファスナーのループ２１）が存在しない領域を伸縮領域２３と称す。
また、巻回部２０は、面ファスナーのフック２４が腰用サポーター１００の右端の裏地面に配設され、ナイロン糸で製織される面ファスナーのフック２４が腰用サポーター１００の左端の係着領域２２の表地面（面ファスナーのループ２１）に係着可能とする。
【００１４】  また、本実施形態に係る腰用サポーター１００は、背当部１０（パワーネット生地２、ラッセルパワーネット生地２ａ）と巻回部２０の伸縮領域２３（パワーネット生地２）とが、ポリエステル糸を用いて製織されるグログランテープ３を表地面側から当てて縫製することで連結される。また、腰用サポーター１００は、背当部１０のパワーネット生地２及びラッセルパワーネット生地２ａ並びに巻回部２０のパワーネット生地２（伸縮領域２３）及びフレンチパイル（係着領域２２）の縁（断ち目）を、ポリエステル糸及びポリウレタン糸で製織されるバインダーテープ４で挟み込み縫い付けられている。
【００１５】  第１の押圧バンド部３０は、長手方向に伸縮性を有する略Ｖ字形状の帯状体からなり、背当部１０の一の側辺に二箇所で固定され、当該一の側辺及び背当部１０の中央間にＶ字頂点３３が配設される。
なお、本実施形態に係る第１の押圧バンド部３０は、ナイロン製のローカウント（低い番手）のモノフィラメント（単繊維）糸、ポリウレタン糸及びポリエステル糸を用いてニードル織機により製織されるローカウントモノフィラメントゴムからなり、両端（上端３１、下端３２）が背当部１０の左側辺１２の上端１２ａ及び下端１２ｂに固定され、中央部（Ｖ字頂点３３）が背当部１０の中央より左側で折り返される略Ｖ字形状である。
【００１６】  なお、本実施形態に係る第１の押圧バンド部３０の上端３１は、図１（ａ）に示すように、背当部１０の左側辺１２の上端１２ａにおいて、背当部１０（パワーネット生地２）及びグログランテープ３間で挟み込み縫い付けられている。また、本実施形態に係る第１の押圧バンド部３０の下端３２は、図１（ａ）に示すように、背当部１０の左側辺１２の下端１２ｂにおいて、背当部１０（パワーネット生地２）及びグログランテープ３間で挟み込み縫い付けられている。
【００１７】  第１の引張バンド部４０は、第１の押圧バンド部３０より伸長率が低い帯状体（例えば、ポリプロピレン糸を用いてニードル織機により製織されるＰＰテープ）からなり、一端４１が第１の押圧バンド部３０のＶ字頂点３３に縫製により固定され、他端４２に縫製により配設される面ファスナーのフック４３が右側の巻回部２０のループ２１に係着される。
【００１８】  第２の押圧バンド部５０は、長手方向に伸縮性を有する略Ｖ字形状の帯状体からなり、背当部１０の他の側辺に二箇所で固定され、当該他の側辺及び背当部１０の中央間にＶ字頂点５３が配設される。
なお、本実施形態に係る第２の押圧バンド部５０は、ローカウントモノフィラメントゴムからなり、両端（上端５１、下端５２）が背当部１０の右側辺１３の上端１３ａ及び下端１３ｂに固定され、中央部（Ｖ字頂点５３）が背当部１０の中央より右側で折り返される略Ｖ字形状であり、第１の押圧バンド部３０と対をなす。
【００１９】  なお、本実施形態に係る第２の押圧バンド部５０の上端５１は、図１（ａ）に示すように、背当部１０の右側辺１３の上端１３ａにおいて、背当部１０（パワーネット生地２）及びグログランテープ３間で挟み込み縫い付けられている。また、本実施形態に係る第２の押圧バンド部５０の下端５２は、図１（ａ）に示すように、背当部１０の右側辺１３の下端１３ｂにおいて、背当部１０（パワーネット生地２）及びグログランテープ３間で挟み込み縫い付けられている。
【００２０】  第２の引張バンド部６０は、第１の引張バンド部４０と対をなし、第２の押圧バンド部５０より伸長率が低い帯状体（例えば、ＰＰテープ）からなり、一端６１が第２の押圧バンド部５０のＶ字頂点５３に縫製により固定され、他端６２に縫製により配設される面ファスナーのフック６３が左側の巻回部２０のループ２１に係着される。
【００２１】  なお、本実施形態に係る腰用サポーター１００は、図１（ａ）に示すように、第２の引張バンド部６０が背当部１０の左側辺１２と第１の押圧バンド部３０とで構成される輪５に挿通される場合を図示しているが、第１の引張バンド部４０が背当部１０の右側辺１３と第２の押圧バンド部５０とで構成される輪６に挿通される場合であってもよい。
また、本実施形態に係る腰用サポーター１００は、第１の引張バンド部４０及び第２の引張バンド部６０を同一直線上に配置するのではなく、腰用サポーター１００の幅方向で上下にずらして互い違いにし、図４（ａ）に示すように、第１の引張バンド部４０及び第２の引張バンド部６０が輪６及び輪５に挿通されない構成であってもよいし、図４（ｂ）に示すように、第２の引張バンド部６０が輪５に挿通されると共に第１の引張バンド部４０が輪６に挿通される構成であってもよい。
【００２２】  特に、本実施形態に係る腰用サポーター１００は、第１の引張バンド部４０又は第２の引張バンド部６０のいずれか一方が輪６又は輪５に挿通される構成であることにより、第１の押圧バンド部３０及び第２の押圧バンド部５０の平面形状を左右対称にし、第１の押圧バンド部３０のＶ字頂点３３と第２の押圧バンド部５０のＶ字頂点５３とを対向して配置することができる。
これにより、腰用サポーター１００は、第１の引張バンド部４０及び第２の引張バンド部６０の牽引することで、第１の押圧バンド部３０のＶ字頂点３３及び押圧バンド部５０のＶ字頂点５３が互いに近づき、合わせて略Ｘ形状をなすことになる。
そして、腰用サポーター１００は、第１の押圧バンド部３０及び第２の押圧バンド部５０が着用者の背骨部分でクロスするように背当部１０を押圧して、着用者の腰部を背当部１０で支持し、着用者の腰部の捻りを抑制して、着用者の腰痛を緩和することができる。
【００２３】  なお、本実施形態に係る第１の押圧バンド部３０及び第２の押圧バンド部５０は、図１（ａ）に示すように、背当部１０の各側辺（左側辺１２、右側辺１３）に二箇所で連結する略Ｖ字形状の帯状体からなる場合を図示しているが、図４に示すように、各側辺（左側辺１２、右側辺１３）全体に連結する直線状の帯状部分と略Ｖ字形状の帯状部分とを含むトライアングル形状であってもよい。
【００２４】  また、本実施形態に係る腰用サポーター１００は、背当部１０及び巻回部２０の境界近傍に配設され、第１の引張バンド部４０及び第２の引張バンド部６０をそれぞれ挿通させる支持部７０を備える。
なお、本実施形態に係る支持部７０は、ポリエステル糸を用いて編み立てられるニットテープを用いており、腰用サポーター１００の表地面における背当部１０及び巻回部２０を連結するグログランテープ３上に上端及び下端を縫製して配設される。
【００２５】  このように、本実施形態に係る腰用サポーター１００は、支持部７０を備えることにより、第１の引張バンド部４０及び第２の引張バンド部６０をそれぞれ位置決めし、不必要な方向への牽引を抑制し、第１の押圧バンド部３０及び第２の押圧バンド部５０の捩れを防止することができる。
なお、本実施形態に係る腰用サポーター１００は、第２の引張バンド部６０が輪５に挿通される構成であり、輪５が背当部１０の左側面１２側の支持部７０の代わりとなるために、背当部１０の左側面１２側の支持部７０を必ずしも備える必要はない。
【００２６】  つぎに、腰用サポーター１００が、第１の押圧バンド部３０及び第２の押圧バンド部５０、並びに、第１の引張バンド部４０及び第２の引張バンド部６０を備えることによる作用効果について、腰用サポーター１００の着用手順と共に、図５を用いて説明する。
【００２７】  まず、着用者は、左右一対のパネル１の直線部分１ｃを対向配置する（略蝶形となる）ように、背当部１０の左右のポケット１１にパネル１をそれぞれ挿入し、第１の引張バンド部４０のフック４３と右側の巻回部２０のループ２１との係着を解き、第２の引張バンド部６０のフック６３と左側の巻回部２０のループ２１との係着を解いた状態にする。
【００２８】  そして、着用者は、図５（ａ）に示すように、背当部１０を着用者の背部（第５腰椎近傍）に支持させたうえで、背当部１０（パワーネット生地２、ラッセルパワーネット生地２ａ）及び巻回部２０の伸縮領域２３（パワーネット生地２）を周方向の伸びの限界まで伸長させた状態において、左側の巻回部１０を着用者の腰部に巻回させた後に、右側の巻回部１０を着用者の腰部に巻回させて、右側の巻回部２０のフック２４を左側の巻回部２０のループ２１に係着させる。
【００２９】  この場合に、第１の押圧バンド部３０及び第２の押圧バンド部５０は、第１の引張バンド部４０及び第２の引張バンド部６０からの引張荷重を受けていないため、弛緩状態（自然長）であり、背当部１０を押圧していない。
【００３０】  そして、着用者は、第１の引張バンド部４０の他端４２及び第２の引張バンド部６０の他端６２を片手でそれぞれ把持して第１の引張バンド部４０及び第２の引張バンド部６０を前方に押し出す。
【００３１】  そして、図５（ｂ）に示すように、着用者は、腰部に対する所望の締め付け感が得られた段階で、第１の引張バンド部４０のフック４３を右側の巻回部２０のループ２１に係着させ、第２の引張バンド部６０のフック６３を右側（又は左側）の巻回部２０のループ２１に係着させる。
【００３２】  この場合に、第１の押圧バンド部３０及び第２の押圧バンド部５０は、図５（ｃ）に示すように、第１の引張バンド部４０及び第２の引張バンド部６０からの引張荷重を受けてそれぞれ伸長し、第１の押圧バンド部３０のＶ字頂点３３及び押圧バンド部５０のＶ字頂点５３が互いに近づき、合わせて略Ｘ形状をなすことになる。
すなわち、第１の押圧バンド部３０及び第２の押圧バンド部５０は、着用者の背骨部分でクロスするように背当部１０を押圧して、着用者の腰部を背当部１０で支持し、着用者の腰部の捻りを抑制して、着用者の腰痛を緩和することができる。
【００３３】  特に、第１の引張バンド部４０の他端４２及び第２の引張バンド部６０は、第１の押圧バンド部３０及び第２の押圧バンド部５０を介して、背当部１０の各側辺（左側辺１２、右側辺１３）を中央に引き寄せるために、背当部１０が伸縮性を有しない素材であれば、背当部１０に皺が生じることになる。
これに対し、本実施形態に係る腰用サポーター１００は、背当部１０が伸縮性を有する素材であり、第１の引張バンド部４０及び第２の引張バンド部６０を前方に押し出す前に、背当部１０を周方向の伸びの限界まで伸長させた状態であるために、背当部１０の各側辺を中央に引き寄せる分の背当部１０の伸びにより、背当部１０に皺が生じないという作用効果を奏する。
【００３４】  また、本実施形態に係る腰用サポーター１００は、二枚のパネル１を背当部１０の左右のポケット１１にそれぞれ挿入する構成であるために、一枚の大きなパネルを背当部１０に挿入する場合と比較して、背当部１０のの伸縮性を阻害することなく、着用者の腰部の曲面にフィットして、着用感を向上することができる。
【符号の説明】
【００３５】１      パネル
２      パワーネット生地
２ａ    ラッセルパワーネット生地
３      グログランテープ
４      バインダーテープ
５，６  輪
１０    背当部
１１    ポケット
１１ａ  蓋
１２    左側辺
１２ａ  上端
１２ｂ  下端
１３    右側辺
１３ａ  上端
１３ｂ  下端
２０    巻回部
２１    ループ
２２    係着領域
２３    伸縮領域
２４    フック
３０    第１の押圧バンド部
３１    上端
３２    下端
３３    Ｖ字頂点
４０    第１の引張バンド部
４１    一端
４２    他端
４３    フック
５０    第２の押圧バンド部
５１    上端
５２    下端
５３    Ｖ字頂点
６０    第２の引張バンド部
６１    一端
６２    他端
６３    フック
７０    支持部
１００  腰用サポーター
【図１】
0006489470.tif 000002
【図２】
0006489470.tif 000003
【図３】
0006489470.tif 000004
【図４】
0006489470.tif 000005
【図５】
0006489470.tif 000006